(57)【要約】【課題】色順次駆動方式において、画面の明るさを十分に確保した上で、解像度感の低下を防止する。【解決手段】表示パネルの画素は、書き込まれた電圧に応じた透過率となる。この表示パネルに対して、ＬＥＤが、Ｒ（赤）、Ｇ（緑）、Ｂ（青）の光を順番に照射する。フレーム期間を、Ｒ・Ｇ・Ｂサブフレーム期間に分割し、各サブフレーム期間に第１および第２走査期間を設ける。このうち、第１走査期間において縦方向に互いに隣接する２つ画素に対して同一のデータ信号を書き込んで、低い解像度の画像を形成し、第２走査期間において第１走査期間より高い解像度の画像を形成する。奇数および偶数フレーム期間において、同一のデータ信号を書き込む２つ画素の組み合わせを切り替える。【選択図】図４
2010107580.tif 000002
【特許請求の範囲】
【請求項１】
それぞれが書き込まれた情報に応じた透過率または反射率となる複数の画素と、
前記複数の画素に対して、互いに異なる少なくとも３つの原色の光を順次照射する照射手段と、
を備え、
単位期間を前記原色に対応させたサブフレーム期間に分割し、
各サブフレーム期間において、前記複数の画素に対し、第１走査と当該第１走査に続く第２走査とによって当該サブフレーム期間に対応する原色成分の情報を書き込み、
前記第１走査において、互いに隣接する２以上の画素に対して同一の情報を書き込んで、前記複数の画素で規定される解像度よりも低い解像度の画像を形成し、
前記第１および第２走査によって、前記低い解像度よりも高い解像度の画像を形成し、
前記第１走査の後、次のサブフレーム期間における第１走査の前に、前記照射手段が当該原色の光を前記複数の画素に照射し、
前記第１走査において、同一の情報を書き込む２以上の画素の組み合わせを、予め定められた周期期間毎に変化させる
ことを特徴とする電気光学装置の駆動方法。
【請求項２】
前記第１走査において、２以上の画素に対して書き込まれる情報は、当該２以上の画素のうち、予め定められた位置関係にある画素の画像情報であり、
同一の情報を書き込む２以上の画素の組み合わせを変化させたときに、前記位置関係とは同じ位置関係にある画素の画像情報を当該変化後における２以上の画素に書き込む
ことを特徴とする請求項１に記載の電気光学装置の駆動方法。
【請求項３】
前記第１走査において、２以上の画素に対して書き込まれる情報は、当該２以上の画素のうち、予め定められた位置関係にある画素の画像情報であり、
前記第２走査では、前記第１走査において前記位置関係にある画素以外の画素の画像情報を書き込む
ことを特徴とする請求項１に記載の電気光学装置の駆動方法。
【請求項４】
前記複数の画素は、
複数の走査線および複数のデータ線との交差に対応して配列するとともに、前記走査線が選択されたときに、前記データ線に供給されたデータ信号の電圧が書き込まれ、
所定のサブフレーム期間の前記第１走査において、隣接する２以上の走査線を同時に選択したとき、
前記周期期間経過したサブフレーム期間の第１走査において、同時に選択する２以上の走査線の組み合わせを変更する
ことを特徴とする請求項１に記載の電気光学装置の駆動方法。
【請求項５】
所定のサブフレーム期間の前記第１走査において、奇数行の走査線と、当該奇数行の走査線に対し所定方向に隣接する偶数行の走査線とを同時に選択し、
前記周期期間経過したサブフレーム期間の第１走査において、奇数行の走査線と、当該奇数行の走査線に対し前記所定方向とは反対方向で隣接する偶数行の走査線とを同時に選択する
ことを特徴とする請求項４に記載の電気光学装置の駆動方法。
【請求項６】
所定のサブフレーム期間の前記第２走査において、当該奇数行の走査線に対し所定方向に隣接する偶数行の走査線を順番に選択し、
前記周期期間経過したサブフレーム期間の第２走査において、奇数行の走査線を順番に選択する
ことを特徴とする請求項５に記載の電気光学装置の駆動方法。
【請求項７】
前記周期期間は、前記単位期間である
ことを特徴とする請求項１に記載の電気光学装置の駆動方法。
【請求項８】
それぞれが書き込まれた情報に応じた透過率または反射率となる複数の画素と、
前記複数の画素に対して、互いに異なる少なくとも３つの原色の光を順次照射する照射手段と、
単位期間を前記原色に対応させたサブフレーム期間に分割し、
各サブフレーム期間において、前記複数の画素に対し、第１走査と当該第１走査に続く第２走査とによって当該サブフレーム期間に対応する原色成分の情報を書き込み、
前記第１走査において、互いに隣接する２以上の画素に対して同一の情報を書き込んで、前記複数の画素で規定される解像度よりも低い解像度の画像を形成し、
前記第１および第２走査によって、前記低い解像度よりも高い解像度の画像を形成するとともに、
前記第１走査において、同一の情報を書き込む２以上の画素の組み合わせを、予め定められた周期期間毎に変化させる駆動回路と、
前記照射手段に対し、前記第１走査の後、次のサブフレーム期間における第１走査の前に、前記照射手段が当該原色の光を前記複数の画素に照射するように制御する制御手段と、
を具備することを特徴とする電気光学装置。
【発明の詳細な説明】
【技術分野】
【０００１】
本発明は、いわゆる色順次方式の電気光学装置の駆動技術に関する。
【背景技術】
【０００２】
一般に、色順次方式では、１つのカラー画像を形成するフレーム期間を、例えば赤（Ｒ）、緑（Ｇ）、青（Ｂ）の３つの原色に対応するサブフレーム期間に分割するとともに、各サブフレーム期間において、当該サブフレーム期間の原色成分の階調（明るさ）に応じた情報（例えば電圧）を表示パネルの画素に書き込んだ後に、当該原色の光を表示パネルに照射する構成となっている。これにより、Ｒ、Ｇ、Ｂの各原色画像が順次表示されるので、人間には、これらの原色画像が重なってフルカラー画像として視覚される（特許文献１参照）。このような色順次方式では、表示素子にカラーフィルタを設けなくて済むほか、１画素をＲ・Ｇ・Ｂのサブ画素に分割しなくて済むので、高精細化が容易となる。
【０００３】
このような色順次方式において、各サブフレームにおいて原色成分の明るさに応じた情報（例えば電圧）を全画素に書き込んだ後に、当該原色の光を複数の画素に照射開始する構成では、画面の明るさを十分にとれなくなる可能性があるので、全画素に対する書き込みが終了する前に、光の照射を開始する方式が考えだされた（特許文献２参照）。
【特許文献１】特開平１１−２３７６０６号公報
【特許文献２】特開２００３−１０７４２５号公報
【発明の開示】
【発明が解決しようとする課題】
【０００４】
しかしながら、低解像度の画像を書き込んだ後に、光を照射する方式では、画面の明るさを確保する点では有効ではあるが、低解像度の画像の書き込みにより、特定の画素についての情報が欠落するため、解像度感の低下が避けられない。
本発明は上述した事情に鑑みてなされたもので、その目的の一つは、色順次方式において、画面の明るさを十分に確保した上で、解像度感の低下を回避する技術を提供することにある。
【課題を解決するための手段】
【０００５】
上記課題を解決するために、本発明に係る電気光学装置の駆動方法にあっては、それぞれが書き込まれた情報に応じた透過率または反射率となる複数の画素と、前記複数の画素に対して、互いに異なる少なくとも３つの原色の光を順次照射する照射手段と、を備え、単位期間を前記原色に対応させたサブフレーム期間に分割し、各サブフレーム期間において、前記複数の画素に対し、第１走査と当該第１走査に続く第２走査とによって当該サブフレーム期間に対応する原色成分の情報を書き込み、前記第１走査において、互いに隣接する２以上の画素に対して同一の情報を書き込んで、前記複数の画素で規定される解像度よりも低い解像度の画像を形成し、前記第１および第２走査によって、前記低い解像度よりも高い解像度の画像を形成し、前記第１走査の後、次のサブフレーム期間における第１走査の前に、前記照射手段が当該原色の光を前記複数の画素に照射し、前記第１走査において、同一の情報を書き込む２以上の画素の組み合わせを、予め定められた周期期間毎に変化させることを特徴とする。本発明によれば、同一の情報を書き込む２以上の画素の組み合わせを、予め定め周期期間毎に変化させるので、特定の画素についての表示情報の欠落が防止される。
【０００６】
本発明では、前記第１走査において、２以上の画素に対して書き込まれる情報は、当該２以上の画素のうち、予め定められた位置関係にある画素の画像情報であり、同一の情報を書き込む２以上の画素の組み合わせを変化させたときに、前記位置関係とは同じ位置関係にある画素の画像情報を当該変化後における２以上の画素に書き込んでも良い。また、本発明では、前記第１走査において、２以上の画素に対して書き込まれる情報は、当該２以上の画素のうち、予め定められた位置関係にある画素の画像情報であり、前記第２走査では、前記第１走査において前記位置関係にある画素以外の画素の画像情報を書き込んでも良い。
【０００７】
本発明において、前記複数の画素は、複数の走査線および複数のデータ線との交差に対応して配列するとともに、前記走査線が選択されたときに、前記データ線に供給されたデータ信号の電圧が書き込まれ、所定のサブフレーム期間の前記第１走査において、隣接する２以上の走査線を同時に選択したとき、前記周期期間経過したサブフレーム期間の第１走査において、同時に選択する２以上の走査線の組み合わせを変更しても良い。また、所定のサブフレーム期間の前記第１走査において、奇数行の走査線と、当該奇数行の走査線に対し所定方向に隣接する偶数行の走査線とを同時に選択し、前記周期期間経過したサブフレーム期間の第１走査において、奇数行の走査線と、当該奇数行の走査線に対し前記所定方向とは反対方向で隣接する偶数行の走査線とを同時に選択しても良い。さらに、所定のサブフレーム期間の前記第２走査において、当該奇数行の走査線に対し所定方向に隣接する偶数行の走査線を順番に選択し、前記周期期間経過したサブフレーム期間の第２走査において、奇数行の走査線を順番に選択しても良い。
ここで、前記周期期間は、前記単位期間であるとしても良い。
なお、本発明は、駆動方法のみならず、電気光学装置としても概念することが可能である。
【発明を実施するための最良の形態】
【０００８】
以下、本発明を実施するための形態について説明する。
【０００９】
＜第１実施形態＞
まず、本発明の第１実施形態に係る電気光学装置の駆動方法について説明する。図１は、この駆動方法を適用した電気光学装置の一例たるプロジェクタの光学的な構成を示す図である。
この図において、ＬＥＤ１１Ｒは、ダイクロイックプリズム１３の中心からみて１２時の方向に位置し、図において下方に向けてＲ（赤）の光を放つ発光ダイオードである。ＬＥＤ１１Ｒにより放たれたＲの光は、コリメータレンズ１２Ｒによって、ほぼ平行な光束となる。同様に、ＬＥＤ１１Ｇ、１１Ｂは、それぞれ９時、６時の方向に位置し、図において右方、上方に向けてＧ（緑）、Ｂ（青）の光を放つ発光ダイオードである。ＬＥＤ１１Ｇ、１１Ｂにより放たれたＧ、Ｂの光についても、それぞれコリメータレンズ１２Ｇ、１２Ｂによって、ほぼ平行な光束となる。
なお、ＬＥＤ１１Ｒ、１１Ｇ、１１Ｂは、後述する制御回路によって順番に発光制御されるので、これら３つのＬＥＤが照射手段となる。
【００１０】
ダイクロイックプリズム１３は、互いに直交するダイクロイック面１３Ｒ、１３Ｂを有する。このうち、ダイクロイック面１３Ｒは、１２時の方向から入射したＲ光を反射して３時の方向に出射し、他の色の光を透過する。ダイクロイック面１３Ｂは、６時の方向から入射したＢ光を反射して３時の方向に出射し、他の色の光を透過する。一方、９時の方向から入射したＧ光は、ダイクロイック面１３Ｒ、１３Ｂを透過し、そのまま３時の方向に出射する。
【００１１】
ダイクロイックプリズム１３の出射面には、表示パネル１００が配置する。この表示パネル１００は、本実施形態では、例えばアクティブマトリクス型の透過型の液晶表示パネルであり、複数の画素を有する。投射レンズ群１４は、表示パネル１００によって透過率が画素毎に制御された透過像をスクリーン２００に拡大投射する光学系である。
後述するように、１フレーム期間をＲ・Ｇ・Ｂのサブフレーム期間に分割するとともに、各サブフレーム期間において、各画素に原色成分の明るさとなるような電圧を書き込み、この後に、当該原色のＬＥＤを発光させる動作を、Ｒ・Ｇ・Ｂで繰り返す。このため、Ｒ・Ｇ・Ｂの各原色画像が順次表示されて、これらの原色画像が重なってフルカラー画像として視覚されることになる。
【００１２】
次に、プロジェクタ１０の電気的な構成について図２を参照して説明する。
この図に示されるように、プロジェクタ１０は、制御回路２０、画像処理回路３０、データ信号変換回路４０および表示パネル１００により構成される。このうち、制御回路２０は、上位装置（図示省略）から供給される同期信号Ｓyncに基づいて各部を制御する。
画像処理回路３０は、上位装置から供給されるデジタルの映像信号Ｖidを、一旦内部メモリに記憶した後、制御回路２０による制御にしたがって画素の原色成分を読み出して、映像信号Ｖdとして出力する。
ここで、上記上位装置から供給される映像信号Ｖidは、表示パネル１００の各画素につきＲ・Ｇ・Ｂの各色成分の明るさ（階調）を指定するデジタルデータであり、同期信号Ｓyncに含まれる垂直走査信号、水平走査信号およびドットクロック信号（図示省略）にしたがって走査される画素の順で供給される。ただし、画像処理回路３０において、読み出されて出力される映像信号Ｖdは、上位装置から供給される画素の順番ではなく、特定の行（ぎょう）の画素に係るものである。
【００１３】
データ信号変換回路４０は、画像処理回路３０から供給される映像信号Ｖdを、表示パネル１００の駆動に適したアナログのデータ信号Ｖsに変換して、Ｙドライバ１３０およびＸドライバ１４０による駆動タイミングに合わせて表示パネル１００に供給する。
【００１４】
表示パネル１００の表示領域１００ａでは、例えば７６８行の走査線１１２が図において横方向に延在し、また、１０２４列のデータ線１１４が図において縦方向に延在し、かつ、各走査線１１２と互いに電気的に絶縁を保つように設けられるとともに、これらの走査線１１２とデータ線１１４との交差のそれぞれに対応して、画素１１０がそれぞれ配設されている。したがって、本実施形態において、画素１１０は、表示領域１００ａにおいて縦７６８行×横１０２４列のマトリクス状に配列することになる。
なお、便宜的に走査線１１２を区別するために、以下の説明では図において上から順に１、２、３、…、７６８行目という呼び方をする場合がある。同様に、データ線１１４を区別するために、図において左から順に１、２、３、…、１０２４列目という呼び方をする場合がある。
【００１５】
Ｙドライバ１３０は、制御回路２０による制御にしたがって各走査線にそれぞれ走査信号を供給する走査線駆動回路であり、選択した走査線に対し選択電圧を、それ以外の走査線に対し非選択電圧を、それぞれ印加する。なお、１、２、３、…、７６８行目の走査線１１２に供給される走査信号を、図２において、それぞれＧ1、Ｇ2、Ｇ3、…、Ｇ768と表記している。
Ｘドライバ１４０は、選択された行に対応する画素１１０の各々に対し、データ信号変換回路４０によって変換されたデータ信号Ｖsを、それぞれデータ線１１４にサンプリングするデータ線駆動回路である。なお、１、２、３、…、１０２４列目のデータ線１１４にサンプリングされるデータ信号を、図２において、それぞれｄ1、ｄ2、ｄ3、…、ｄ1024と表記している。
【００１６】
画素１１０について図３を参照して説明する。
この図に示されるように、画素１１０においては、ｎチャネル型のＴＦＴ１１６のソース電極がデータ線１１４に接続されるとともに、ドレイン電極が画素電極１１８に接続される一方、ゲート電極が走査線１１２に接続されている。
画素電極１１８は、画素毎に設けられるのに対して、対向電極１０８は、画素電極１１８のすべてに対向するように全画素に対して共通に設けられるとともに、一定の電圧ＬＣcomが印加されている。そして、対向電極１０８と画素電極１１８との間に液晶１０５が挟持され、これにより液晶素子１２０が構成されている。このため、画素毎に、画素電極１１８、対向電極１０８および液晶１０５からなる液晶素子１２０が設けられることになる。
【００１７】
このような構成の液晶素子１２０は、画素電極１１８および対向電極１０８の間で電圧を保持するとともに、透過型であれば、保持した電圧の実効値に応じた透過率となる。これは、液晶素子１２０において、画素電極１１８および対向電極１０８の間で電圧に怖じて、両電極の間に介在する液晶１０５の分子配向状態が変化するためである。
走査線１１２に選択電圧を印加させるとともに、選択した走査線１１２に対応する画素に対して、指定された階調値に応じた電圧のデータ信号をデータ線１１４に供給すると、選択走査線における画素１１０のＴＦＴ１１６はオン状態となり、当該データ信号が、オン状態のＴＦＴ１１６を介して画素電極１１８に印加されるので、液晶素子１２０に対し、階調値に応じた電圧を印加・保持させて、目的とする階調に応じた透過率とさせることができる。
なお、走査線に非選択電圧を印加して、ＴＦＴ１１６をオフ状態とさせても、ＴＦＴ１１６がオン状態のときに液晶素子１２０に書き込まれた電圧は、その容量性によりに保持される。
【００１８】
本実施形態では、便宜的に液晶素子１２０に保持される電圧実効値がゼロに近ければ、光の透過率が最大となって白色表示になる一方、電圧実効値が大きくなるにつれて透過する光量が減少するノーマリーホワイトモードであるとする。
また、液晶１０５に直流成分が印加するのを防止するため、データ信号変換回路４０は、画素の明るさを指定する映像信号Ｖdを、画素電極１１８に印加されることになるデータ信号Ｖsに、基準電圧Ｖc（対向電極１０８の電圧ＬＣcomとほぼ同じ電圧、または、低位の電圧）に対して高位側の正極性電圧と低位側の負極性電圧とに、所定期間（例えば後述するサブフレーム期間、または、フレーム期間）毎に交互に切り替えながら変換する。なお、この極性は、制御回路２０によって指定される。
【００１９】
ここで本実施形態における駆動方法を説明する前に、従来技術との比較のため、図２の構成で比較例に係る駆動方法を実行する場合について説明する。図１４は、比較例に係る色順次駆動を示す図である。この図において、フレーム期間とは、表示パネル１００やＬＥＤ１１Ｒ、１１Ｇ、１１Ｂを駆動することによって、カラー画像の１コマ分を表示させるために要する期間をいい、垂直走査周波数が６０Ｈｚであれば、その逆数である１６．７ミリ秒である。
なお、同期信号Ｓyncで規定される垂直走査期間とフレーム期間とは、期間長でみれば同一あるが、同期信号Ｖsyncに同期して供給される映像信号Ｖidを、一旦、画像処理回路３０において記憶した後に読み出すとともに、この読み出しに合わせて、表示パネル１００等を駆動するので、タイミング的には、フレーム期間は、垂直走査期間よりも遅延した関係にある。
【００２０】
図１４に示されるように、比較例に係る色順次駆動では、フレーム期間が、Ｒ・Ｇ・Ｂの３つのサブフレーム期間に等分割されるとともに、Ｒ・Ｇ・Ｂサブフレーム期間の各々が、第１走査期間および第２走査期間に分けられる。また、第１走査期間が終了してから待機期間を経て、サブフレームに対応する色のＬＥＤが発光する発光期間となる。
【００２１】
まず、Ｒサブフレームの第１走査期間（Ｒ第１走査期間）では、表示パネル１００に対して、Ｒ成分の階調に応じたデータ信号を２行ずつまとめて書き込む。詳細には、Ｒ第１走査期間において、制御回路２０は、画像処理回路３０に対して、内部メモリに記憶された映像信号のうち、奇数行だけを３倍速で読み出すように制御し、データ信号変換回路４０に対して極性を指定するとともに、Ｙドライバ１３０に対して、奇数（１、３、５、…、７６７）行と、この奇数行に対して１行下の偶数（２、４、６、…、７６８）行との２行に同時に選択電圧を印加する動作を、上から順番に行うように制御することによって、走査信号Ｇ1、Ｇ2、Ｇ3、…、Ｇ768を図１５に示されるように出力させる一方、Ｘドライバ１４０に対して、データ信号Ｖsを、列毎に１、２、３、…、１０２４列のデータ線１１４に順番にサンプリングするように制御する。
【００２２】
この制御によりＲ第１走査期間では、表示パネル１００の同列でみたときに、奇数行と当該奇数行に下方に隣接する偶数行との２画素に対して、奇数行の方の画素の階調に応じたデータ信号が同時に書き込まれる。
したがって、Ｒ第１走査期間が終了した時点において、各画素１１０には、縦方向の解像度が半分に低下した画像であってＲ成分の階調に応じた電圧が書き込まれたことになる。
なお、Ｒ第１走査期間では、２行の走査線を同時に選択しているので、Ｒ第１走査期間に要する時間は、１行ずつ順番に選択する場合と比較して半分になる。
また、図１５において走査信号の表記に付したアンダーバーは、選択されたときに供給されるデータ信号Ｖsの行を示している。例えば図１５において、１・２行目は同時に選択されるので走査信号Ｇ1、Ｇ2は、同時に選択電圧となるが、このとき供給されるデータ信号は、１行目の方であることを示している。なお、このアンダーバーの意味は、後述する図５〜図８、図１０、図１１、図１６についても同様である。
【００２３】
次に、Ｒサブフレームの第２走査期間（Ｒ第２走査期間）では、表示パネル１００の各画素１１０のうち、偶数行だけに、Ｒ成分の階調に応じたデータ信号を書き込む。詳細には、Ｒ第２走査期間において、制御回路２０は、画像処理回路３０に対して、内部メモリに記憶された映像信号のうち、偶数行だけを３倍速で読み出すように制御し、データ信号変換回路４０に対して極性を指定するとともに、Ｙドライバ１３０に対して、偶数行の２、４、６、…、７６８行の走査線１１２だけを順番に選択電圧を印加するように制御することによって走査信号Ｇ1、Ｇ2、Ｇ3、…、Ｇ768を、図１６に示されるように出力させる一方、Ｘドライバ１４０に対して、データ信号Ｖsを、列毎に１、２、３、…、１０２４列のデータ線１１４に順番にサンプリングするように制御する。
【００２４】
この制御によりＲ第２走査期間では、表示パネル１００では、偶数行の画素だけに当該偶数行の画素の階調に応じたデータ信号が書き込まれる。Ｒ第２走査期間では奇数行の画素に電圧が書き込まれないが、すでにＲ第１走査期間で書き込みがなされている。このため、Ｒ第２走査期間が終了した時点において、すべての画素には、Ｒ成分の階調に応じた電圧が書き込まれることになる。
【００２５】
ただし、液晶素子１２０に対して階調に応じた電圧を書き込んでも、その応答速度が比較的遅いゆえに、直ちに、当該書き込んだ電圧に応じた透過率とはならない。このため、すべての画素が、Ｒ成分の階調に応じて書き込まれた電圧に応じた透過率となるには、Ｒ第２走査期間の終了してから一定時間待つ必要がある。しかし、このようにＲ第２走査期間の終了してから一定時間待ってからＬＥＤ１１Ｒの発光を開始させると、発光期間を長く確保することができなり、明るい画面表示が不可能となってしまう。
【００２６】
一方、比較例に係る色順次駆動方法では、Ｒ第１走査期間において、各画素１１０には、縦方向の解像度が半分に低下した画像ではあるが、Ｒ成分の階調に応じた電圧が一応書き込まれている。そこで、比較例に係る色順次駆動方法では、Ｒ第１走査期間を終了してからＲ待機期間を経た後に、ＬＥＤ１１Ｒの発光を開始させることにして、発光期間を長く確保しているのである。
なお、Ｇ・Ｂサブフレーム期間においても、Ｒサブフレーム期間と同様な動作である。
このため、Ｒサブフレーム期間ではＲ成分の画像が、Ｇサブフレーム期間ではＲ成分の画像が、Ｂサブフレーム期間ではＲ成分の画像が、それぞれ順番に表示されるので、人間には、これらの原色画像が重なってフルカラー画像として視覚されることになる。
【００２７】
なお、図１４において、Ｒ・Ｇ・Ｂ第１走査期間およびＲ・Ｇ・Ｂ第２走査期間の右下がりの直線は、走査線の選択行が時間経過とともに上から下方向に進行していることを示している。走査線の選択期間は、実際には短い直線であるが、時間軸に比べて十分に短いので、これを連続的な斜め直線としている。
また、Ｒ発光期間、Ｇ発光期間、Ｂ発光期間は、各原色の強度をバランスさせるために、すなわち、ホワイトバランスが崩れるのを防止するために互いに同一期間に設定される。
【００２８】
しかしながら、比較例に係る色順次駆動方法では、奇数行の画素については、Ｒ・Ｇ・Ｂ第１走査期間により、その明るさ情報が書き込まれて、ＬＥＤ１１Ｒの発光により視認されるものの、偶数行の画素については、階調に応じた電圧が書き込まれるＲ・Ｇ・Ｂ第２走査期間でＬＥＤが発光してしまう関係上、書き込まれた電圧に応じた透過率となる前に、視認されてしまうことになる。
このため、偶数行の画素については、各色成分において、常にその明るさ情報が一部欠落した状態で視認されてしまうことになる。
【００２９】
そこで、この点を解消した第１実施形態に係る色順次駆動について説明する。図４は、第１実施形態に係る色順次駆動を示す図である。
この図に示されるように、本実施形態では、フレーム期間がＲ・Ｇ・Ｂの３つのサブフレーム期間に等分割されるとともに、Ｒ・Ｇ・Ｂサブフレーム期間の各々が第１走査期間および第２走査期間に分けられる点では、図１４の比較例と同様であるが、フレーム期間は、奇数フレーム期間と当該奇数フレーム期間に続く偶数フレーム期間とに分かれる点において相違する。
なお、この奇数フレーム期間と偶数フレーム期間とは、連続する２フレーム期間を区別するための便宜的なものである。
【００３０】
本実施形態における色順次駆動において、奇数フレーム期間に限っていえば、図１４に示した比較例に係る色順次駆動の各フレーム期間と同様な動作となる。すなわち、Ｒ・Ｇ・Ｂ第１走査期間の各々において、表示パネル１００の同列でみたときに、奇数行と当該奇数行に下方に隣接する偶数行との２画素に対して、奇数行の方の画素の階調に応じたデータ信号を書き込み、Ｒ・Ｇ・Ｂ第２走査期間の各々において、表示パネル１００の偶数行だけを順番に選択して、当該偶数行の画素だけに対して、階調に応じたデータ信号を書き込む。
なお、本実施形態において奇数フレーム期間の動作は、比較例に係る色順次駆動の各フレーム期間と同様であるため、Ｒ・Ｇ・Ｂ第１走査期間における走査信号Ｇ1、Ｇ2、Ｇ3、…、Ｇ768の波形については、図５に示される通りであって、図１５と同様であり、Ｒ・Ｇ・Ｂ第２走査期間における走査信号Ｇ1、Ｇ2、Ｇ3、…、Ｇ768の波形についても、図６に示されるように、図１６と同様である。
【００３１】
次に、本実施形態における色順次駆動の偶数フレーム期間について説明する。
まず、図４において、偶数フレーム期間のＲサブフレーム期間のうち、Ｒ第１走査期間において、制御回路２０は、画像処理回路３０に対して、内部メモリに記憶された映像信号のうち、偶数行だけを３倍速で読み出すように制御し、データ信号変換回路４０に対して極性を指定する。
また、Ｒ第１走査期間において、制御回路２０は、偶数行の読み出しに合わせて、Ｙドライバ１３０に対して、偶数（２、４、６、…、７６６）行と、この偶数行に対して１行下の奇数（３、５、７、…、７６７）行との２行に同時に選択電圧を印加する動作を、上から順番に行うように制御する。なお、奇数１行目については０行目が存在しないので、また、最終７６８行目については７６９行目が存在しないので、制御回路２０は、それぞれ単独で選択するように制御する。
このため、本実施形態において偶数フレーム期間のＲ第１走査期間において、走査信号Ｇ1、Ｇ2、Ｇ3、…、Ｇ768の波形は、図７に示される通りとなる。
また、偶数フレーム期間のＲ第１走査期間において、奇数行の画素は読み出されないので、走査信号Ｇ1が単独でＨレベルになっても１行目の画素に対して実際には書き込みが行われないことになる。
【００３２】
偶数フレーム期間のＲ第１走査期間においては、表示パネル１００の同列でみたときに、偶数行と当該偶数行に下方に隣接する奇数行との２画素に対して、偶数行の方の画素の階調に応じたデータ信号が書き込まれる。このため、偶数フレーム期間のＲ第１走査期間が終了した時点において、各画素１１０には、縦方向の解像度が半分に低下した画像が形成される点では、奇数フレーム期間と同様であるが、書き込まれる情報が奇数行ではなく偶数行である点で、奇数フレーム期間と相違することになる。
換言すれば、Ｒ第１走査期間を奇数フレーム期間と偶数フレーム期間とで比較すると、奇数フレーム期間では、奇数行と当該奇数行に下方に隣接する偶数行とにおいて同列の２画素のうち、奇数行の上方画素についてのデータ信号が書き込まれ、偶数フレーム期間では、同列の２画素が偶数行と当該偶数行に下方に隣接する奇数行とにおいて変化するものの、２画素のうち、上方画素についてのデータ信号が書き込まれることになる。
すなわち、Ｒ第１走査期間では、奇数フレーム期間と偶数フレーム期間とにおいて、いずれも縦方向に隣接する２画素に対し、上方画素のデータ信号が書き込まれることになる。
【００３３】
次に、偶数フレーム期間のＲ第２走査期間において、制御回路２０は、画像処理回路３０に対して、内部メモリに記憶された映像信号のうち、奇数行だけを３倍速で読み出すように制御し、データ信号変換回路４０に対して極性を指定するとともに、奇数行の読み出しに合わせて、Ｙドライバ１３０に対して、奇数行の１、３、５、…、７６７行目の走査線１１２だけを順番に選択電圧を印加するように制御することによって走査信号Ｇ1、Ｇ2、Ｇ3、…、Ｇ768を、図８に示されるように出力させる一方、Ｘドライバ１４０に対して、データ信号Ｖsを、列毎に１、２、３、…、１０２４列のデータ線１１４に順番にサンプリングするように制御する。
この制御により、偶数サブフレーム期間のＲ第２走査期間では、表示パネル１００では、奇数行の画素だけに当該奇数行の画素の階調に応じたデータ信号が書き込まれる。
Ｒ第２走査期間では偶数行の画素に電圧が書き込まれないが、すでにＲ第１走査期間で書き込みがなされているので、Ｒ第２走査期間が終了した時点において、すべての画素には、Ｒ成分の階調に応じた電圧が書き込まれることになる。
なお、偶数フレーム期間におけるＧ・Ｂサブフレーム期間においても、Ｒサブフレーム期間と同様な動作である。
【００３４】
ここで、第１実施形態による色順次駆動において、奇数フレーム期間および偶数フレーム期間の書き込みにより、どのような画像が視認されるについて図９を参照して説明する。なお、図９では、左上に示した原画像を表示するものとする。また、ここでは、色成分についてはＲ・Ｇ・Ｂのうちのいずれかとし、特定はしないことにする。
【００３５】
まず、奇数フレーム期間の第１走査期間では、表示パネル１００の同列でみたときに、奇数行と当該奇数行に下方に隣接する偶数行との縦方向に隣接する２画素に対して、奇数行の方の画素の階調に応じたデータ信号が書き込まれるので、原画像に対して（ａ）においてハッチングで示されるような画像となる。
なお、図において、「＋」は、縦方向に隣接する２画素のうち、原画像において選択される画素（サンプリング画素）を示している。
【００３６】
次に、奇数フレーム期間の第２走査期間では、偶数行の画素において、偶数行の画素の階調に応じたデータ信号が書き込まれる。ここで、第２走査期間において偶数行の画素への書き込みがあったときに、第１走査期間から同じ状態の画素を（ｂ）において■（黒塗りの□）または□で記し、第１走査期間から状態が変更された画素を（ｂ）においてハッチングを付した□で記している。
ここで、第１走査期間から状態が変更された画素とは、第１走査期間または第２走査期間のいずれでしか、オン状態とならなかったことを意味するので、光学応答が不充分な状態である可能性が高い。このため、ＬＥＤが第２走査期間の途中から発光を開始すると、奇数フレーム期間では、（ｂ）で示されるような画像で視認されることになる。
【００３７】
続いて、偶数フレーム期間の第１走査期間では、表示パネル１００の同列でみたときに、偶数行と当該偶数行に下方に隣接する奇数行との縦方向に隣接する２画素に対して、偶数行の方の画素の階調に応じたデータ信号が書き込まれるので、原画像に対して（ｃ）においてハッチングで示されるような画像となる。
【００３８】
次に、偶数フレーム期間の第２走査期間では、奇数行の画素において、奇数行の画素の階調に応じたデータ信号が書き込まれる。ここで、第２走査期間において奇数行の画素への書き込みがあったときに、第１走査期間から同じ状態の画素を（ｄ）において■または□で記している。第１走査期間から状態が変更された画素を（ｄ）においてハッチングを付した□で記しているが、この画素に対しては、上述したように、光学応答が不充分な状態である可能性が高い。このため、ＬＥＤが第２走査期間の途中から発光を開始すると、偶数フレーム期間では、（ｄ）で示されるような画像で視認されることになる。
【００３９】
第１実施形態では、奇数フレーム期間では図９（ｂ）に示される画像が視認され、偶数フレーム期間では図９（ｄ）に示される画像が視認される。これらの画像が交互に現れるので、奇数フレーム期間および偶数フレーム期間で連続させた場合に、図１３の上半分で示されるように、両画像の平均的な画像（合成画像）が視認される。
【００４０】
比較例に係る色順次駆動では、図９（ａ）または図１３の奇数フレーム期間での画像のみ視認されるので、原画像に対して特に偶数行の画素において、明るさ情報の欠落が大きい。これに対して、第１実施形態では、奇数フレーム期間および偶数フレーム期間とが交互に現れるので、明るさ情報の欠落が奇数行、偶数行で偏ることなく、ほぼ均等となり、解像度感の低下を回避することが可能となる。
【００４１】
＜第２実施形態＞
次に、本発明の第２実施形態に係る色順次駆動について説明する。
この第２実施形態に係る色順次駆動は、第１実施形態における奇数フレーム期間の動作を変更したものであり、奇数フレーム期間については変更がない。そこで、第２実施形態については、偶数フレーム期間についての動作を中心に説明することにする。
【００４２】
まず、偶数フレーム期間のＲサブフレーム期間のうち、Ｒ第１走査期間において、制御回路２０は、画像処理回路３０に対して、内部メモリに記憶された映像信号のうち、奇数行だけを３倍速で読み出すように制御し、データ信号変換回路４０に対して極性を指定する。また、Ｒ第１走査期間において、制御回路２０は、奇数行の読み出しに合わせて、Ｙドライバ１３０に対して、偶数（２、４、６、…、７６６）行と、この偶数行に対して１行下の奇数（３、５、７、…、７６７）行との２行に同時に選択電圧を印加する動作を、上から順番に行うように制御する。
【００４３】
したがって、第２実施形態では、偶数フレーム期間のＲ第１走査期間における走査信号Ｇ1、Ｇ2、Ｇ3、…、Ｇ768の波形は、図１０に示されるように、図７に示した第１実施形態と同じであるが、データ信号が示す画素の行が、同時に選択される偶数行とこの偶数行に対して１行下の奇数行との２行のうち、下方に位置する奇数行である点で相違する。
詳細には、第２実施形態では、偶数フレーム期間のＲ第１走査期間において、表示パネル１００の同列でみたときに、縦方向に隣接する２画素に対して、奇数行の方の画素の階調に応じたデータ信号が書き込まれる点において、奇数フレーム期間のＲ第１走査期間と同様であるが、その２画素が偶数行と当該偶数行に下方に隣接する奇数行であり、奇数フレーム期間のＲ第１走査期間における奇数行と当該奇数行に下方に隣接する偶数行と相違するので、書き込まれる内容が異なることになる。
【００４４】
次に、偶数フレーム期間のＲ第２走査期間において、制御回路２０は、画像処理回路３０に対して、内部メモリに記憶された映像信号のうち、偶数行だけを３倍速で読み出すように制御し、データ信号変換回路４０に対して極性を指定するとともに、偶数行の読み出しに合わせて、Ｙドライバ１３０に対して、偶数行の２、４、６、…、７６８行目の走査線１１２だけを順番に選択電圧を印加するように制御することによって走査信号Ｇ1、Ｇ2、Ｇ3、…、Ｇ768を、図１１に示されるように出力させる一方、Ｘドライバ１４０に対して、データ信号Ｖsを、列毎に１、２、３、…、１０２４列のデータ線１１４に順番にサンプリングするように制御する。
この制御により、偶数サブフレーム期間のＲ第２走査期間では、表示パネル１００では、偶数行の画素だけに当該偶数行の画素の階調に応じたデータ信号が書き込まれる。換言すれば、偶数フレーム期間では、第１走査期間において、偶数行と当該偶数行に下方に隣接する奇数行とにおいて同列の２画素のうち、奇数行である下方画素についてのデータ信号が書き込まれ、第２走査期間では、当該２画素のうち、下方画素以外の上方画素である偶数についてのデータ信号が書き込まれることになる。
これにより、Ｒ第２走査期間が終了した時点において、すべての画素には、Ｒ成分の階調に応じた電圧が書き込まれることになる。
なお、偶数フレーム期間におけるＧ・Ｂサブフレーム期間においても、Ｒサブフレーム期間と同様な動作である。
【００４５】
第２実施形態による色順次駆動において、奇数フレーム期間および偶数フレーム期間の書き込みにより、どのような画像が視認されるについて図１２を参照して説明する。なお、原画像については、図９と同じとする。また、ここでも、色成分についてはＲ・Ｇ・Ｂのうちのいずれかとし、特定はしないことにする。
【００４６】
奇数フレーム期間の動作は、比較例および第１実施形態と同様であるので、説明を省略する。
偶数フレーム期間の第１走査期間では、表示パネル１００の同列でみたときに、偶数行と当該偶数行に下方に隣接する奇数行との縦方向に隣接する２画素に対して、下方の奇数行の方の画素の階調に応じたデータ信号が書き込まれるので、原画像に対して（ｃ）においてハッチングで示されるような画像となる。
次に、偶数フレーム期間の第２走査期間では、偶数行の画素において、偶数行の画素の階調に応じたデータ信号が書き込まれる。ここで、第２走査期間において偶数行の画素への書き込みがあったときに、第１走査期間から同じ状態の画素については、（ｄ）において■または□で記している。第１走査期間から状態が変更された画素については、（ｄ）においてハッチングを付した□で記しているが、この画素に対しては、光学応答が不充分な状態である可能性が高いので、ＬＥＤが第２走査期間の途中から発光を開始すると、偶数フレーム期間では、（ｄ）で示されるような画像で視認されることになる。
【００４７】
第２実施形態では、奇数フレーム期間では図１２（ｂ）に示される画像が視認され、偶数フレーム期間では図１２（ｄ）に示される画像が視認される。これらの画像が交互に現れるので、奇数フレーム期間および偶数フレーム期間で連続させた場合に、図１３の下半分で示されるように、両画像の合成画像が視認される。
このため、第２実施形態においても、奇数フレーム期間および偶数フレーム期間とが交互に現れるので、明るさ情報の欠落が奇数行、偶数行で偏ることなく、ほぼ均等となり、解像度感の低下を回避することが可能となる。
【００４８】
なお、上述した実施形態では、奇数フレーム期間と偶数フレーム期間とで分けることによって、第１走査期間において同一のデータ信号を書き込む２つの画素の組み合わせをフレーム期間毎に変更したが、この変更周期については、２フレーム期間以上としても良い。
また、第１走査期間では、縦方向に隣接する２つの画素に対して同一のデータ信号を書き込んだが、例えば３つの画素に対して同一のデータ信号を書き込むとともに、この３つの画素の組み合わせを、フレーム期間毎に切り替えて３フレーム期間で一巡させても良い。
【００４９】
上述した実施形態では、実施形態では、用いる原色をＲ・Ｇ・Ｂの３色として、フレーム期間をこれらの色に対応して３つのサブフレーム期間に分けたが、原色を４つ以上として、フレーム期間をこれら用いる原色に対応して４つ以上のサブフレーム期間に分けても良い。例えばＲ・Ｇ・Ｂのうち、Ｇを、短波長寄りのＹＧ（黄緑）と、長波長寄りのＥＧ（エメラルドグリーン）に分けて、これらの４色として、フレーム期間をこれらの色に対応して４つのサブフレーム期間に分けても良い。
なお、原色を４つ以上とする場合、ダイクロイックプリズムが２以上必要となる。上述したＲ、ＹＧ、ＥＧ、Ｂを用いる場合であれば、図１においてダイクロイックプリズム１３の９時方向に、別のダイクロックプリズムを配置させて、このうち、２面でＹＧ、ＥＧ光を入射して、ダイクロイックプリズム１３に導く構成とすれば良い。
表示パネル１００の透過像を拡大投射する投射型ではなくて、バックライトの光源を原色毎に切り替える直視型にも適用可能である。また、画素１１０については透過型に限られず、反射型であっても良い。
【図面の簡単な説明】
【００５０】
【図１】第１実施形態に係る駆動方法が適用されるプロジェクタの構成を示す図である。
【図２】同プロジェクタの電気的な構成を示すブロック図である。
【図３】同プロジェクタの表示パネルにおける画素の構成を示す図である。
【図４】同駆動方法を示す図である。
【図５】同駆動方法の奇数フレーム期間における第１走査を示す図である。
【図６】同駆動方法の奇数フレーム期間における第２走査を示す図である。
【図７】同駆動方法の偶数フレーム期間における第１走査を示す図である。
【図８】同駆動方法の偶数フレーム期間における第２走査を示す図である。
【図９】同駆動方法による表示例を示す図である。
【図１０】第２実施形態に係る駆動方法の偶数フレームの第１走査を示す図である。
【図１１】同駆動方法の偶数フレームの第２走査を示す図である。
【図１２】同駆動方法による表示例を示す図である。
【図１３】各実施形態に係る駆動方法による表示例を示す図である。
【図１４】比較例に係る駆動方法を示す図である。
【図１５】同比較例における第１走査を示す図である。
【図１６】同比較例における第２走査を示す図である。
【符号の説明】
【００５１】
１０…プロジェクタ、１１Ｒ、１１Ｇ、１１Ｂ…ＬＥＤ、２０…制御回路、３０…画像処理回路、１００…表示パネル、１０５…液晶、１２０…液晶素子、１３０…Ｙドライバ、１４０…Ｘドライバ
【図１】
2010107580.tif 000003
【図２】
2010107580.tif 000004
【図３】
2010107580.tif 000005
【図４】
2010107580.tif 000006
【図５】
2010107580.tif 000007
【図６】
2010107580.tif 000008
【図７】
2010107580.tif 000009
【図８】
2010107580.tif 000010
【図９】
2010107580.tif 000011
【図１０】
2010107580.tif 000012
【図１１】
2010107580.tif 000013
【図１２】
2010107580.tif 000014
【図１３】
2010107580.tif 000015
【図１４】
2010107580.tif 000016
【図１５】
2010107580.tif 000017
【図１６】
2010107580.tif 000018